(57)【特許請求の範囲】
【請求項１】
コネクタハウジングの端子収容室の内壁から突設され端子収容室内に挿入された端子の係合孔に挿入されて係合する係止突起を有する係止ランスにより前記端子を前記端子収容室内に収容保持する端子の係止構造を有するコネクタであって、
前記係止突起は、前記端子の係合孔の係合縁部に当接する係止面を有し、該係止面には前記係合縁部が挿入可能な切り欠きが設けられ、前記端子収容室から端子が抜け出す方向へ力が付与されたとき、前記係合孔の係合縁部が前記切り欠きに挿入されて前記係止ランスの端子側への変形を抑制する端子の係止構造を有するものであり、
前記切り欠きの開口寸法は、前記係合孔の係合縁部の厚み寸法より小さく、且つ前記端子に抜け出し方向への力が付与されたとき、前記切り欠き内へ係合縁部が圧入可能な寸法に設定されている端子の係止構造を有することを特徴とするコネクタ。
【請求項２】
コネクタハウジングの端子収容室の内壁から突設され端子収容室内に挿入された端子の係合孔に挿入されて係合する係止突起を有する係止ランスにより前記端子を前記端子収容室内に収容保持する端子の係止構造を有するコネクタであって、
前記係止突起は、前記端子の係合孔の係合縁部に当接する係止面を有し、該係止面には前記係合縁部が挿入可能な切り欠きが設けられ、前記端子収容室から端子が抜け出す方向へ力が付与されたとき、前記係合孔の係合縁部が前記切り欠きに挿入されて前記係止ランスの端子側への変形を抑制する端子の係止構造を有するものであり、
前記切り欠きの開口縁部には、前記係合縁部の切り欠き内への圧入時に前記係止ランスの端子側への撓みを規制する縁部傾斜面が形成されている端子の係止構造を有することを特徴とするコネクタ。
【請求項３】
コネクタハウジングの端子収容室の内壁から突設され端子収容室内に挿入された端子の係合孔に挿入されて係合する係止突起を有する係止ランスにより前記端子を前記端子収容室内に収容保持する端子の係止構造を有するコネクタであって、
前記係止突起は、前記端子の係合孔の係合縁部に当接する係止面を有し、該係止面には前記係合縁部が挿入可能な切り欠きが設けられ、前記端子収容室から端子が抜け出す方向へ力が付与されたとき、前記係合孔の係合縁部が前記切り欠きに挿入されて前記係止ランスの端子側への変形を抑制する端子の係止構造を有するものであり、
前記切り欠きの内部には、前記係合縁部の切り欠き内の圧入時に係止ランスの端子側への撓みを規制する方向に傾斜した内部傾斜面が形成されている端子の係止構造を有することを特徴とするコネクタ。
【発明の詳細な説明】
【技術分野】
【０００１】
本発明は、端子の係止構造を有するコネクタに係り、特に、係止ランスを大型化したり、別部品を用いることなく、強度を大きくすることができるコネクタに関する。
【背景技術】
【０００２】
一般に、コネクタハウジングの端子収容室に挿入された端子は、抜け止め状態で端子収容室内に収容保持される。図９は、端子収容室からの端子の抜け止めを行う従来構造を有したコネクタ１００を示す。
【０００３】
コネクタ１００は、絶縁性樹脂からなるコネクタハウジング１１０を有しており、コネクタハウジング１１０には、端子収容室１２０が横方向に貫通するように形成されている。端子収容室１２０の先端部には、相手端子（図示省略）が挿入される相手端子挿入口１２２が形成されている。この端子収容室１２０には、基端部（右端部）側から端子（図示省略）が挿入されて収容される。端子は、相手端子挿入口１２２から挿入された相手端子と接触することにより、相手端子と電気的な接続がなされる。
【０００４】
コネクタ１００においては、端子を端子収容室１２０に収容保持するため、係止ランス１３０が形成される。係止ランス１３０は、端子収容室１２０の底壁部１２４に一体に連続した基端部１３１と、基端部１３１に連設され、端子収容室１２０の底壁部１２４から斜め方向に立ち上がった片持ち状の係止突起１３３とを有している。係止突起１３３の前面側（相手端子挿入口１２２側）には、端子の係合孔に係合する係止面１３５が垂直状に形成されている。
【０００５】
このような係止ランス１３０は、係止突起１３３が弾性を有した状態で端子収容室１２０内に位置するように立ち上がっており、端子収容室１２０内に端子を挿入すると、端子の底板に形成された係合孔に進入して係止面１３５が端子の係合孔の係合縁部に当接する。これにより、端子が端子収容室内に収容保持され、端子収容室１２０内からの端子が阻止される。
【先行技術文献】
【特許文献】
【０００６】
【特許文献１】特開２００７−２２０３５４号公報
【発明の概要】
【発明が解決しようとする課題】
【０００７】
しかし、端子収容室１２０内に収容されている端子に抜け方向の力が作用すると、係止突起１３３が端子に当接している係止ランス１３０の全体が浮き上がって剪断角度が大きくなる。すなわち、係止ランス１３０が浮き上がることにより、端子の係合縁部から直線的に延びる係止ランス１３０内の剪断長さ（剪断面積）が小さくなる。このため、係止ランス１３０による端子の保持力が低下する。
【０００８】
この保持力の低下を防止するためには、係止ランスの強度を大きくする必要があるが、強度を大きくすると、係止ランスが大型化したり、スペーサ等の別部品が必要となる。
【０００９】
そこで、本発明は、大型化することなく、しかも別部品を必要とすることなく、係止ランスの強度を大きくすることができ、これにより係止ランスの端子抜け止め機能を向上させることが可能な端子の係止構造を備えたコネクタを提供することを目的とする。
【課題を解決するための手段】
【００１０】
請求項１に記載の発明は、コネクタハウジングの端子収容室の内壁から突設され端子収容室内に挿入された端子の係合孔に挿入されて係合する係止突起を有する係止ランスにより前記端子を前記端子収容室内に収容保持する端子の係止構造を有するコネクタであって、
前記係止突起は、前記端子の係合孔の係合縁部に当接する係止面を有し、該係止面には前記係合縁部が挿入可能な切り欠きが設けられ、前記端子収容室から端子が抜け出す方向へ力が付与されたとき、前記係合孔の係合縁部が前記切り欠きに挿入されて前記係止ランスの端子側への変形を抑制する端子の係止構造を有するものであり、前記切り欠きの開口寸法は、前記係合孔の係合縁部の厚み寸法より小さく、且つ前記端子に抜け出し方向への力が付与されたとき、前記切り欠き内へ係合縁部が圧入可能な寸法に設定されている端子の係止構造を有するコネクタである。
【００１１】
請求項２に記載の発明は、コネクタハウジングの端子収容室の内壁から突設され端子収容室内に挿入された端子の係合孔に挿入されて係合する係止突起を有する係止ランスにより前記端子を前記端子収容室内に収容保持する端子の係止構造を有するコネクタであって、
前記係止突起は、前記端子の係合孔の係合縁部に当接する係止面を有し、該係止面には前記係合縁部が挿入可能な切り欠きが設けられ、前記端子収容室から端子が抜け出す方向へ力が付与されたとき、前記係合孔の係合縁部が前記切り欠きに挿入されて前記係止ランスの端子側への変形を抑制する端子の係止構造を有するものであり、前記切り欠きの開口縁部には、前記係合縁部の切り欠き内への圧入時に前記係止ランスの端子側への撓みを規制する縁部傾斜面が形成されている端子の係止構造を有するコネクタである。
【００１２】
請求項３に係る発明は、コネクタハウジングの端子収容室の内壁から突設され端子収容室内に挿入された端子の係合孔に挿入されて係合する係止突起を有する係止ランスにより前記端子を前記端子収容室内に収容保持する端子の係止構造を有するコネクタであって、
前記係止突起は、前記端子の係合孔の係合縁部に当接する係止面を有し、該係止面には前記係合縁部が挿入可能な切り欠きが設けられ、前記端子収容室から端子が抜け出す方向へ力が付与されたとき、前記係合孔の係合縁部が前記切り欠きに挿入されて前記係止ランスの端子側への変形を抑制する端子の係止構造を有するものであり、前記切り欠きの内部には、前記係合縁部の切り欠き内の圧入時に係止ランスの端子側への撓みを規制する方向に傾斜した内部傾斜面が形成されている端子の係止構造を有するコネクタである。
【発明の効果】
【００１４】
請求項１記載の発明では、係止ランスは、通常状態において、係止突起の係止面が端子の係合縁部に当接することにより端子収容室からの端子の抜けを阻止しているが、端子に抜け方向の力が作用すると、端子の係合縁部が係止面の切り欠きに挿入する。係止面の切り欠きに端子の係合縁部が挿入することにより、係止突起は、端子からの抜け方向の力を垂直状に受ける。このため、係止ランスが端子側に浮き上がる変形を抑制できる。これにより、係止ランス内の剪断長さ（剪断面積）を大きく確保でき、係止ランスの端子保持力を確保することができる。このような請求項１記載の発明によれば、係止ランスを大型化したり、別部品を用いることなく、強度を大きくすることができ、係止ランスによる端子の抜け止め機構を向上させることができる。
【００１５】
請求項２記載の発明によれば、請求項１記載の発明の効果を有するのに加えて、切り欠きの開口寸法が、端子に抜け出し方向への力が付与されたときに端子の係合縁部が圧入する寸法に設定されているため、通常状態では、端子の係合縁部が係止面に垂直に当接した状態となる一方、抜け出し方向の力が作用したときに始めて係合縁部が切り欠きに圧入される。このような構造では、係止ランスに対して特別な操作を行う必要がないため、切り欠きを設けても取り扱い性が低下することがない。
【００１６】
請求項３記載の発明によれば、請求項１及び２記載の発明の効果を有するのに加えて、切欠きの開口縁部に形成された縁部傾斜面が切り欠き内への係合縁部の圧入時に係止ランスの端子側への撓みを規制する。このため、係止ランスが端子側に浮き上がることが抑制され、係止ランス内の剪断長さが変化することがなく、係止ランスの端子保持力を確保できる。
【００１７】
請求項４記載の発明によれば、請求項１及び２記載の発明の効果を有するのに加えて、切欠きの内部に形成された内部傾斜面が切り欠き内への係合縁部の圧入時に係止ランスの端子側への撓みを規制する。このため、係止ランスが端子側に浮き上がることが抑制され、係止ランス内の剪断長さが変化することがなく、係止ランスの端子保持力を確保できる。
【００１８】
また、請求項１〜請求項４記載の発明の発明によれば、上述した端子の係止構造が端子収容室に設けられるため、大型化や別部品を必要とすることなく、しかも端子保持力を確保した係止ランスを備えたコネクタとすることができる。
【図面の簡単な説明】
【００１９】
【図１】本発明の一実施形態における端子の係止構造を示す縦断面図である。
【図２】一実施形態の斜視図である。
【図３】図２の側面図である。
【図４】一実施形態の作用を説明する縦断面図である。
【図５】図４に続く作用を説明する縦断面図である。
【図６】切り欠きがない場合の作用を説明する断面図である。
【図７】本発明の別の実施形態の端子の係止構造を示す部分拡大断面図である。
【図８】さらに別の実施形態の端子の係止構造を示す部分拡大断面図である。
【図９】従来のコネクタの内部を示す縦断面図である。
【発明を実施するための形態】
【００２０】
以下、本発明を図示する実施形態により具体的に説明する。図１〜図６は、本発明の一実施形態を示し、図１は、本発明の一実施形態の係止構造を示す縦断面図、図２は、斜視図、図３は、側面図、図４及び図５は、作用を示す縦断面図、図６は切り欠きがない場合の作用を示す縦断面図である。
【００２１】
図１〜図３に示すように、コネクタ１は、全体が絶縁性樹脂からなるコネクタハウジング２を有している。図示を省略するが、コネクタハウジング２には、複数の端子収容室３が上下方向及び左右方向（紙面貫通方向）に整列状に形成されている。それぞれの端子収容室３は、前後方向に延びた状態で上下に位置した仕切壁３ａ及び左右の仕切壁３ｂによって仕切られることによりコネクタハウジング２内で独立した収容室となっている。
【００２２】
それぞれの端子収容室３の前面側には、相手端子が挿入される相手端子挿入口４が開口されており、後側は端子２０が挿入可能なように開口されている。この端子収容室３に対し、端子２０が後側の開口から挿入される。
【００２３】
それぞれの端子収容室３には、係止ランス１１が形成されている。係止ランス１１は、各端子収容室３の底壁（内壁）となっている仕切壁３ａから端子収容室３の内部に突設されるように形成される。
【００２４】
係止ランス１１は、基端部１２が仕切壁３ａに一体に連続しており、基端部１２からランス本体１３が斜め方向に立ち上がった形状となっている。従って、ランス本体１３は、仕切壁３ａに片持ち状に支持された構造となっており、上下方向に弾性的に撓むことが可能となっている。
【００２５】
ランス本体１３は、上面側のガイド面１４と、先端側（相手端子挿入口４側）の係止突起１５とを一体に有している。
【００２６】
ガイド面１４は、端子２０の挿入方向に沿って基端部１２から先端側に上向きに傾斜する斜め状となっており、端子２０を端子収容室３内に後側から挿入することにより端子２０と接触する。この接触によってガイド面１４に対して下方向の押し力が作用するため、ランス本体１３が下方に弾性的に撓み、端子２０の挿入を円滑に行うことができる。
【００２７】
係止突起１５は、ガイド面１４よりも先端側（相手端子挿入口４側）に位置している。係止突起１５は、端子２０に係合するものであり、先端側に垂直状の係止面１６が形成され、この係止面１６が端子２０に当接して係合する。係止面１６には、後述する切り欠き１８が形成される。
【００２８】
係止突起１５の下側（仕切壁３ａ側）には、先端突起１７が設けられている。先端突起１７は、下側に斜めに傾斜した状態で係止突起１５の係止面１６よりもさらに先端側に延びている。先端突起１７は、端子２０を取り外す際などに係止ランス１１を強制的に弾性撓みさせるための治具（図示省略）を受けるものである。
【００２９】
切り欠き１８は、係止面１６の前面側から凹むように形成される。図２に示すように、切り欠き１８は、係止面１６（係止突起１７）の幅方向（左右方向）に沿って係止面１６の全幅にわたって形成されている。切り欠きは、端子２０の後述する係合縁部２７に対応するように係止面１６に形成される。又、切り欠き１８は、端子２０の係合縁部２７の断面形状に合わせて形成されるものであり、この実施形態では、係合縁部２７が四角形断面となっているため、切り欠き１８が四角断面となっている。さらに、切り欠き１８の開口寸法は、端子２０の係合縁部２７の厚み寸法よりも小さくなっている。このため、係止面１６に端子２０の係合縁部２７が当接しても、端子２０の係合縁部２７は、係止面１６と当接するだけであり、通常状態では、係合縁部２７が挿入されることがない。これに対し、端子２０に抜け方向の力が作用すると、係合縁部２７が切り欠き１８に圧入される。
【００３０】
端子２０は、相手端子（図示省略）が挿入される雌端子金具が用いられている。端子２０は、導電性金属を打ち抜くことにより形成された端子本体２１と、端子本体２１の後側に一体に連設されたバレル部（図示省略）とを有し、バレル部に被覆電線の芯線（図示省略）が加締められることにより被覆電線と電気的に接続される。
【００３１】
図１に示すように、端子本体２１は、底板部２２、天板部２３及びこれらを連結する両側の側板部によって箱型に形成されており、端子収容室３に後側から挿入される。端子本体２１の前面には、相手端子が挿入される相手端子挿入開口２４が形成されている。相手端子挿入開口２４は、端子収容室３に形成されている相手端子挿入口４に対応した位置となっている。端子本体２１の内部には、天板部２３に片持ち状に連結された弾性接触片２５が設けられており、相手端子挿入開口２４から挿入された相手端子に弾性接触片２５が弾性的に接触することにより相手端子との電気的な接続が行われる。
【００３２】
端子本体２１の底板部２２には、係合孔２６が形成されている。図１に示すように、係合孔２６には、仕切壁３ａから突設されている係止ランス１１の係合突起１５が挿入される。係合孔２６に挿入された係合突起１５は、端子本体（端子）２１の内部に入り込み、その係止面１６が係合孔２６の端面である係合縁部２７に臨んで係合縁部２７に当接する。この当接によって、端子２０が係止突起１５に係止されるため、端子２０が端子収容室３内に収容保持される。
【００３３】
次に、この実施形態の動作を説明する。
【００３４】
図４は、端子２０の端子本体２１を端子収容室３内に挿入した状態を示す。端子本体２１の挿入の際には、底板部２２がランス本体１３のガイド面１４を摺動しながらガイド面１４を下方向に押すため、ランス本体１３が下方に弾性的に撓んで端子２０が円滑に挿入される。端子２０の端子収容室３への挿入により、底板部２２の係合孔２６がランス本１３に達すると、底板部２２からの押し力がなくなる。このため、ランス本体１３の係止突起１５は、弾性復元力によって端子２０の底板部２２の係合孔２６に挿入されて係合孔２６に嵌り込む。
【００３５】
係止突起１５が係合孔２６に挿入されることにより、係止突起１５の係止面１６が係合孔２６の係合縁部２７に当接するため、端子２０は、係合突起に係止され、抜け止め状態となって端子収容室３内に保持される。このとき、係合縁部２７は、係止面１６に当接するだけであり、係止面１６の切り欠き１８には入り込んでいない。
【００３６】
図４において、矢印Ｆは、この端子収容室３内に保持されている端子２０に対して抜け出し方向に付与された力である。抜け出し方向への力Ｆが付与されることにより、端子２０は端子収容室３内で後退する。係合孔２６の係合縁部２７は、係止面１６の切り欠き１８に臨んでいるため、端子２０の後退により係合縁部２７は切り欠き１８に圧入される。
【００３７】
図５は、係合縁部２７が切り欠き１８に圧入された状態を示す。係合縁部２７が切り欠き１８に圧入されることにより、係合突起１５（係止ランス１１）は、端子２０からの抜け出し方向の力Ｆを垂直状に受ける。このため、係止ランス１１が浮き上がることが抑制され、係止ランス１１が端子２０側に変形することを抑制する。このような状態では、係止ランス１１内の剪断長さＤ（剪断面積）を大きく確保することができる。
【００３８】
図６は、係止突起１５の係止面１６に切り欠き１８を設けていない以外は、図１〜図５の実施形態と同様な構造とした場合を示すものである。端子２０に抜けだし方向の力Ｆが作用すると、係止面１６に当接している係合縁部２７は、矢印Ｇで示すように、係合突起１５（係止ランス１１）を浮き上がらせ、係合ランス１１は二点鎖線で示す状態となる。そして、係止ランス１１が二点鎖線で示すように浮き上がることにより、係止ランス１１が端子２０側に変形するため、係止ランス１１内の剪断長さｄが小さくなる。このため、係止ランス１１による端子２０の保持力が低下して端子２０が抜け易くなる欠点がある。
【００３９】
これに対し、この実施形態では、上述したように、係止ランス１１が端子２０側に浮き上がることを抑制でき、剪断長さＤを大きく確保できるため、係止ランス１１の端子保持力を確保することができる。従って、係止ランス１１を大型化したり、別部品を用いることなく強度を大きくすることができ、係止ランス１１による端子２０の抜け止め機構を向上させることができる。
【００４０】
又、この実施形態では、切り欠き１８の開口寸法が、抜け出し方向Ｆへの力が端子２０に付与されたときに端子２０の係合縁部２７が圧入する寸法に設定されているため、通常状態では、係合縁部２７が係止面１６に垂直に当接した状態となる一方、抜け出し方向の力が作用したときに始めて係合縁部２７が切り欠き１８に圧入される。このような構造では、係止ランス１１に対して特別な操作を行う必要がないため、切り欠き１８を設けても取り扱い性が低下することがない。
【００４１】
図７は、本発明の別の実施形態における要部の拡大断面を示す。この実施形態では、係止突起１５における係止面１６に切り欠き３１が形成されるが、切り欠き３１には、縁部傾斜面３２が形成されている。縁部傾斜面３２は、切り欠き３１における開口縁部の上部に形成されるものであり、端子２０の係合縁部２７の入口部分に設けられている。この縁部傾斜面３２は、開口縁部の上部から下方に傾斜した状態となっており、端子２０から離れる方向への傾斜となっている。
【００４２】
図７の実施形態では、端子２０に抜き出し方向の力が作用したとき、端子２０の係合縁部２７が切り欠き３１に圧入されるが、係合縁部２７が縁部傾斜面３２に当接した状態で圧入される。この縁部傾斜面３２との当接により、係止突起１５は、端子２０側に浮き上がる方向への撓み変形が規制される。このように端子２０側への浮き上がり撓みが規制されることにより、係止突起１５と端子２０との係合が弱まることがなく、端子保持力を確保できる。
【００４３】
特に、この実施形態では、縁部傾斜面３２が下方に傾斜した状態となっているため、係合縁部２７が縁部傾斜面３２と当接することにより、係止突起１５は浮き上がる方向とは反対の方向（下方向）に変形することができる。この方向への変形では、端子２０と係止突起１５とが強固に係合することができる。従って、このような実施形態においても、係止ランス１１による端子保持力を確保できるため、係止ランス１１を大型化したり、別部品を用いる必要がなくなる。
【００４４】
図８は、本発明のさらに別の実施形態における要部の拡大断面を示す。この実施形態においても、係止突起１５における係止面１６に切り欠き３５が形成されるが、切り欠き３５には、内部傾斜面３６が形成されている。内部傾斜面３６は、切り欠き３１における上下面を形成するものであり、上下で対向した状態で端子２０から離れる方向（下方向）に傾斜している。
【００４５】
図８の実施形態では、端子２０に抜き出し方向の力が作用したとき、端子２０の係合縁部２７が切り欠き３５に圧入されるが、圧入された係合縁部２７は、切り欠き３５の内部傾斜面３６と接触して摺動する。係合縁部２７が内部傾斜面３６と接触することにより、係止突起１５は、端子２０側に浮き上がる方向への撓み変形が規制される。このように端子２０側への浮き上がり変形が規制されることにより、係止突起１５と端子２０との係合が弱まることがなく、端子保持力を確保できる。
【００４６】
特に、この実施形態では、内部傾斜面３６が下方向に傾斜しているため、係合縁部２７が内部傾斜面３６と接触することにより、係止突起１５は、端子２０側に浮き上がる方向と反対の方向（下方向）に変形する。この方向への変形により、端子２０と係止突起１５とが強固に係合することができる。この方向への変形では、端子と係止突起１５とが強固に係合する。従って、係止ランス１１による端子保持力を確保でき、係止ランス１１を大型化したり、別部品を用いる必要がなくなる。
【００４７】
なお、以上の実施形態では、係止ランス１１を端子２０の下側に設けているが、本発明では、係止ランス１１を端子２０の上側或いは横側に設けても良く、この場合にも、同様に作用することができる。この場合には、端子２０の係合孔２６が係止ランス１１に対応する向きで端子２０が端子収容室３内に挿入される。
【符号の説明】
【００４８】
１  コネクタ
２  コネクタハウジング
３  端子収容室
１１  係止ランス
１２  基端部
１３  ランス本体
１５  係止突起
１６  係止面
１８，３１，３５  切り欠き
２０  端子
２６  係合孔
２７  係合縁部
Ｆ    抜け出し方向への力
【図１】
0005486916.tif 000002
【図２】
0005486916.tif 000003
【図３】
0005486916.tif 000004
【図４】
0005486916.tif 000005
【図５】
0005486916.tif 000006
【図６】
0005486916.tif 000007
【図７】
0005486916.tif 000008
【図８】
0005486916.tif 000009
【図９】
0005486916.tif 000010